(57)【要約】【課題】ゴム風船を膨らましている途中でゴム風船が破裂することが万が一あっても、顔面を保護することのできる、簡易な手段を提供する。【解決手段】折り畳み可能となされたゴム風船取付用シート１に、ゴム風船を取り付けるための風船取付用孔２が１個ないし複数個形成され、シートにゴム風船の根元部の挿通を可能にする大きさの風船挿通用孔３が形成された構成とする。シートに風船取付用孔２が形成されているので、風船を取り付けるための台座シートとして使用できる。また、展開状態にしたゴム風船取付用シート１の風船挿通用孔３に、ゴム風船の根元部５２を挿通せしめて、風船を膨らます人の顔面Ｆと風船５０の膨隆部５３とが、展開状態のゴム風船取付用シート１で隔てられた状態で風船を膨らますことにより、膨らまし途中でゴム風船５０が破裂することがあっても、人の顔面Ｆを展開状態のシート１によって保護できる。【選択図】図７
2016052371.tif 000002
【特許請求の範囲】
【請求項１】
ゴム風船を取り付けるための風船取付用孔が１個ないし複数個形成されたシートを備え、前記シートに、ゴム風船の根元部の挿通を可能にする大きさの風船挿通用孔が形成されていることを特徴とするゴム風船取付用シート。
【請求項２】
前記シートは、折り畳み可能なシートである請求項１に記載のゴム風船取付用シート。
【請求項３】
前記シートの中央部に前記風船挿通用孔が形成され、前記シートに、互いに直交する第１折り目と第２折り目が設けられ、前記第１折り目と前記第２折り目は、前記シートの中央部の風船挿通用孔において交差するように配置され、前記シートは、四つ折りに折り畳み可能となされている請求項１に記載のゴム風船取付用シート。
【請求項４】
前記シートは、前記第１折り目と前記第２折り目とで４つの区画部に区画され、前記シートが四つ折りに折り畳まれたときに外側に露出する２つの区画部のうち一方の区画部に、前記風船取付用孔が形成されている請求項３に記載のゴム風船取付用シート。
【請求項５】
前記シートは、透明または半透明である請求項１〜４のいずれか１項に記載のゴム風船取付用シート。
【請求項６】
前記風船挿通用孔の短径は、前記風船取付用孔の短径よりも大きい請求項１〜５のいずれか１項に記載のゴム風船取付用シート。
【請求項７】
前記ゴム風船取付用シートは、平面視略矩形状に形成され、該シートの４つのコーナー部の縁が、シートの平面視において曲線状に形成されている請求項１〜６のいずれか１項に記載のゴム風船取付用シート。
【請求項８】
展開状態にした前記ゴム風船取付用シートの風船挿通用孔に、ゴム風船の根元部を挿通せしめて、風船を膨らます人の顔面と風船の膨隆部とが前記展開状態のゴム風船取付用シートで隔てられた状態で風船を膨らますことにより、膨らまし途中で前記ゴム風船が破裂することがあっても、人の顔面を前記シートによって保護できる請求項１〜７のいずれか１項に記載のゴム風船取付用シート。
【請求項９】
請求項１〜８のいずれか１項に記載のゴム風船取付用シートと、
１ないし複数個のゴム風船と、
透明または半透明の包装用袋体と、を備え、
前記ゴム風船取付用シートの風船取付用孔に前記ゴム風船の根元部が取り付けられた状態のものが前記包装用袋体で包装されてなるゴム風船包装品。
【発明の詳細な説明】
【技術分野】
【０００１】
本発明は、ゴム風船を膨らますときに顔面を保護できる顔面保護機能を備えたゴム風船取付用シートに関する。
【０００２】
なお、本明細書及び特許請求の範囲において、「ゴム風船」の語は、ゴムからなる風船はもちろんのこと、ゴム弾性を有する素材からなる風船をも含む意味で用いている。
【背景技術】
【０００３】
従来より各種各様のゴム風船が市販されている。ゴム風船としては、例えば、略球形状のゴム風船、全体に細長い形状に形成されたゴム風船（特許文献１）の他、略ハート型形状のゴム風船等が知られている。
【先行技術文献】
【特許文献】
【０００４】
【特許文献１】特開２００８−６１６８６号公報
【発明の概要】
【発明が解決しようとする課題】
【０００５】
一般に、ゴム風船は、爪などで引っ掻いたり、傷を付けたり、極めて過度に大きく膨らましたりしない限り、膨らましている途中で割れることはない。ただ、略ハート型形状などの特異な形状に形成されたゴム風船では、膨らましている途中で破裂したという事例が、きわめて稀ではあるが、報告されている。例えば、破裂した際に目などに破裂片が接触すると、目に影響が及ぶことが懸念されるところである。
【０００６】
ゴム風船を膨らましているときに顔面を覆うことのできる手段があれば、上記懸念は解消される。
【０００７】
しかるに、ゴム風船を膨らましているときは顔面の直近前方位置に風船が存在しているので、顔の全体を簡単に覆うことのできる手段はなかなか存在しない。また、そのような手段をゴム風船に付けて販売するとなると、そもそもゴム風船自体が安価な販売価格であるので、そのような手段を付けて販売することは、コスト的に合わない。
【０００８】
本発明は、かかる技術的背景に鑑みてなされたものであって、ゴム風船を膨らましている途中でゴム風船が破裂することが万が一あっても、顔面を保護することのできる、簡易な手段を提供することを目的とする。
【課題を解決するための手段】
【０００９】
前記目的を達成するために、本発明は以下の手段を提供する。
【００１０】
［１］ゴム風船を取り付けるための風船取付用孔が１個ないし複数個形成されたシートを備え、前記シートに、ゴム風船の根元部の挿通を可能にする大きさの風船挿通用孔が形成されていることを特徴とするゴム風船取付用シート。
【００１１】
［２］前記シートは、折り畳み可能なシートである前項１に記載のゴム風船取付用シート。
【００１２】
［３］前記シートの中央部に前記風船挿通用孔が形成され、前記シートに、互いに直交する第１折り目と第２折り目が設けられ、前記第１折り目と前記第２折り目は、前記シートの中央部の風船挿通用孔において交差するように配置され、前記シートは、四つ折りに折り畳み可能となされている前項１に記載のゴム風船取付用シート。
【００１３】
［４］前記シートは、前記第１折り目と前記第２折り目とで４つの区画部に区画され、前記シートが四つ折りに折り畳まれたときに外側に露出する２つの区画部のうち一方の区画部に、前記風船取付用孔が形成されている前項３に記載のゴム風船取付用シート。
【００１４】
［５］前記シートは、透明または半透明である前項１〜４のいずれか１項に記載のゴム風船取付用シート。
【００１５】
［６］前記風船挿通用孔の短径は、前記風船取付用孔の短径よりも大きい前項１〜５のいずれか１項に記載のゴム風船取付用シート。
【００１６】
［７］前記ゴム風船取付用シートは、平面視略矩形状に形成され、該シートの４つのコーナー部の縁が、シートの平面視において曲線状に形成されている前項１〜６のいずれか１項に記載のゴム風船取付用シート。
【００１７】
［８］展開状態にした前記ゴム風船取付用シートの風船挿通用孔に、ゴム風船の根元部を挿通せしめて、風船を膨らます人の顔面と風船の膨隆部とが前記展開状態のゴム風船取付用シートで隔てられた状態で風船を膨らますことにより、膨らまし途中で前記ゴム風船が破裂することがあっても、人の顔面を前記シートによって保護できる前項１〜７のいずれか１項に記載のゴム風船取付用シート。
【００１８】
［９］前項１〜８のいずれか１項に記載のゴム風船取付用シートと、
１ないし複数個のゴム風船と、
透明または半透明の包装用袋体と、を備え、
前記ゴム風船取付用シートの風船取付用孔に前記ゴム風船の根元部が取り付けられた状態のものが前記包装用袋体で包装されてなるゴム風船包装品。
【発明の効果】
【００１９】
［１］の発明では、シートに風船取付用孔が１個ないし複数個形成されているので、風船を取り付けるシート（台座シート）としての機能を備えている。また、シートにゴム風船の根元部の挿通を可能にする大きさの風船挿通用孔が形成されているので、ゴム風船を膨らますときに、展開状態のゴム風船取付用シートの風船挿通用孔にゴム風船の根元部を挿通せしめて、風船を膨らます人の顔面と風船の膨隆部とが前記展開状態のゴム風船取付用シートで隔てられた状態で風船を膨らますことにより（図７参照）、膨らまし途中でゴム風船が破裂することがあったとしても、人の顔面をシートによって保護できる。即ち、このゴム風船取付用シートは、ゴム風船を膨らますときに上記態様で使用できるので、顔面保護機能をも備えている。本発明では、ゴム風船を取り付けるためのゴム風船取付用シートに、上記の簡易な構成によって顔面保護機能を具備させたものであるので、簡易かつ低コストな顔面保護手段を提供することができるものである。
【００２０】
［２］の発明では、シートは折り畳み可能に構成されているので、図５に示すように折り畳まれた状態のゴム風船取付用シートにゴム風船を取り付けて袋体で包装して商品（図６参照）として展示等できるので、商品展示のためのスペースを低減できる。
【００２１】
［３］の発明では、展開状態のシートの中央部に風船挿通用孔が形成されているので、ゴム風船を膨らますときに膨らます人の顔面を十分に保護できる。また、シートの中央部の風船挿通用孔において互いに交差する第１折り目と第２折り目が設けられているので、良好な折り畳み状態で四つ折りに折り畳むことができる。
【００２２】
［４］の発明では、シートが四つ折りに折り畳まれたときに外側に露出する２つの区画部のうち一方の区画部に、風船取付用孔が形成されているから、この四つ折りに折り畳まれた状態のシートの風船取付用孔に風船を取り付けることにより、販売店等において購買者が見たときに美麗な状態で風船等を観察することができ、これにより購買者の購買意欲を高めることができる。
【００２３】
［５］の発明では、シートは透明または半透明であるから、ゴム風船の根元部を展開状態のシートの風船挿通用孔に挿通配置して該ゴム風船を膨らますときに、シートを介してゴム風船の膨らみ状態を目で観察しながらゴム風船を膨らますことができる。従って、ゴム風船を適切な大きさに膨らますことができる。
【００２４】
［６］の発明では、風船挿通用孔の短径は、風船取付用孔の短径よりも大きいので、シートの風船挿通用孔にゴム風船の根元部を挿通するときに挿通作業をスムーズに行うことができると共に、シートの風船取付用孔に取り付けたゴム風船は、この風船取付用孔から離脱し難く、取り付け安定性を向上させることができる。
【００２５】
［７］の発明では、平面視略矩形状のゴム風船取付用シートの４つのコーナー部の縁が、シートの平面視において曲線状に形成されているから、シートの風船挿通用孔にゴム風船の根元部を挿通する際に、或いは風船を膨らます際にコーナー部の縁が顔などに当たっても痛くない。
【００２６】
［８］の発明では、風船を取り付ける台座シートとしての機能を備えると共に、風船を膨らます際の顔面保護機能をも備えたシートが提供される。
【００２７】
［９］の発明（ゴム風船包装品）では、ゴム風船を膨らますときに顔面を保護できる顔面保護機能を具備させたゴム風船取付用シートを備えた構成であり、ゴム風船を膨らますときに、展開状態にしたゴム風船取付用シートの風船挿通用孔にゴム風船の根元部を挿通せしめて、風船を膨らます人の顔面と風船の膨隆部とが前記展開状態のゴム風船取付用シートで隔てられた状態で風船を膨らますことにより（図７参照）、膨らまし途中でゴム風船が破裂することがあったとしても、人の顔面をシートによって保護できる。また、包装用袋体は、透明または半透明であるから、本ゴム風船包装品が、販売店等において展示されているとき等に包装の中のゴム風船の形状や色等を購買者が見ることができる。
【００２８】
なお、シートが折り畳み可能なシートである場合には、折り畳まれたゴム風船取付用シートの風船取付用孔にゴム風船の根元部が取り付けられた状態のものが包装用袋体で包装された構成とできるので、この場合には、ゴム風船包装品として商品展示のためのスペースを低減できる利点がある。
【図面の簡単な説明】
【００２９】
【図１】本発明の一実施形態に係るゴム風船取付用シートを展開状態で示す斜視図である。
【図２】ゴム風船取付用シートを展開状態から２つ折りにする途中状態を示す斜視図である。
【図３】ゴム風船取付用シートを展開状態から２つ折りにした状態を示す平面図である。
【図４】さらに２つ折りすることにより、４つ折りに折り畳んだ状態を示す平面図である。
【図５】４つ折り状態のゴム風船取付用シートにゴム風船を１個取り付けた状態を示す斜視図である。
【図６】ゴム風船を４個取り付けた状態の４つ折りシートを包装用袋体に収納してなるゴム風船包装品を示す平面図である。
【図７】展開状態のゴム風船取付用シートの風船挿通用孔に、ゴム風船の根元部を挿通せしめて、風船を膨らます人の顔面と風船の膨隆部とが、展開状態のゴム風船取付用シートで隔てられた態様でゴム風船を膨らましている状態（使用態様の一例）を示す斜視図である。
【発明を実施するための形態】
【００３０】
図１は、本発明に係るゴム風船取付用シート１の一実施形態を展開状態で示す斜視図である。本発明に係るゴム風船取付用シート１は、シート１０を備え、このシート１０に、ゴム風船５０を取り付けるための風船取付用孔２が１個ないし複数個形成されていると共に、前記シート１０に、ゴム風船５０の根元部５２の挿通を可能にする大きさの風船挿通用孔３が形成されている。本実施形態では、前記風船取付用孔２が４個形成され、前記風船挿通用孔３が１個形成されている。
【００３１】
本実施形態では、前記シート１０の中央部に前記風船挿通用孔３が形成されている（図１参照）。本実施形態では、前記風船挿通用孔３の平面視形状は、ゴム風船の根元部５２の挿通をスムーズに行い得るように、円形状であるが、特にこのような平面視形状に限定されるものではない。また、本実施形態では、前記風船取付用孔２の平面視形状は、取り付けたゴム風船５０が離脱しないようにするべく、略長矩形状であるが、特にこのような平面視形状に限定されるものではない。
【００３２】
本実施形態では、前記シート１０は、平面視略矩形状に形成され、前記シート１０の４つのコーナー部の縁が、シートの平面視において曲線状に形成されている。図１に示すように、前記シート１０の４つのコーナー部の外形線が、外方に向けて膨らむ曲線状に形成されている。
【００３３】
本実施形態では、前記シート１０は、折り畳み可能なシートである。即ち、前記シート１０に、互いに直交する第１折り目４と第２折り目５が形成されていて、前記第１折り目４と前記第２折り目５は、前記シート１０の中央部の風船挿通用孔３において直交するように配置されており（図１〜４参照）、シート１０を４つ折りに折り畳んだ状態にすることができる（図４参照）。
【００３４】
本実施形態では、前記第１折り目４は、谷折りの折り目が付けられている。図１において、６Ａが谷折り線（谷折り目）を示している。一方、前記第２折り目５は、図面奥側の半部が谷折りの折り目６Ａが付けられ、図面手前側の半部が山折りの折り目６Ｂが付けられている（図１参照）。
【００３５】
前記シート１０は、前記第１折り目４と前記第２折り目５とで４つの区画部１１、１２、１３、１４に区画されている。即ち、前記第１折り目４と前記第２折り目５とで、風船挿通用孔３を中心にして時計回りに順に、第１区画部１１、第２区画部１２、第３区画部１３、第４区画部１４が形成されている（図１参照）。本実施形態では、前記シート１０における第１区画部１１に複数個の風船取付用孔２が設けられている。
【００３６】
しかして、図２に示すように、展開状態のシート１０を第１折り目４（谷折りの折り目６Ａ）で谷折りすることによって、シート１０を図３に示すように２つ折りにした後、さらに第２折り目５で山折りすることによって４つ折り状態に折り畳む（図４参照）。
【００３７】
この４つ折り状態のシート１０に対してゴム風船５０が取り付けられる。即ち、図５に示すように、４つ折りに折り畳まれた状態のシート１０の外側に露出する２つの区画部１１、１４のうちの一方の区画部（第１区画部）１１の風船取付用孔２に、ゴム風船５０の根元部５２が外側から挿通されて内側に折り込まれることによって、１つのゴム風船５０が１つの風船取付用孔２に取り付け固定される（図５参照）。残りの３つの風船取付用孔２のそれぞれにも同様にして１個づつゴム風船５０の根元部５２が取付け固定される（図６参照）。
【００３８】
前記折り畳まれた状態のゴム風船取付用シート１の風船取付用孔２のそれぞれに１個づつゴム風船５０（の根元部５２）が取り付けられた状態のものが、包装用袋体６０で包装されることにより、ゴム風船包装品７０が得られる（図６参照）。
【００３９】
前記ゴム風船５０は、膨らます際に口でくわえる口部（吹き口部）５１と、空気の吹き込みにより膨らんで膨らみの主体部を構成する膨隆部５３と、該膨隆部５３と前記口部５１を連結する根元部５２と、を備えている（図５参照）。本実施形態では、前記膨隆部５３の平面視形状は、略ハート型形状である。
【００４０】
使用時に、ゴム風船５０を膨らますときは、ゴム風船５０が取り付けられた折り畳み状態のゴム風船取付用シート１を包装用袋体６０から取り出し、各ゴム風船５０を風船取付用孔２からそれぞれ取り外すと共に、折り畳み状態のゴム風船取付用シート１を展開状態にする（図１、７参照）。この展開状態にしたゴム風船取付用シート１の風船挿通用孔３にゴム風船５０の根元部５２を挿通せしめて、ゴム風船５０の口部（吹き口部）５１を口でくわえて、ゴム風船５０を膨らます人の顔面Ｆとゴム風船５０の膨隆部５３とが前記展開状態のゴム風船取付用シート１で隔てられた状態でゴム風船５０を膨らます（図７参照）。このようにして膨らますことによって、万が一膨らまし途中でゴム風船５０が破裂することがあったとしても、人の顔面Ｆをゴム風船取付用シート１によって保護することができる。即ち、このゴム風船取付用シート１は、ゴム風船５０を膨らますときに上記態様で使用することができるので、顔面保護機能をも備えている。
【００４１】
本発明のゴム風船取付用シート１は、ゴム風船５０を取り付けるためのゴム風船取付用シートに、上記の簡易な構成によって顔面保護機能を具備させたものであるので、簡易かつ低コストな顔面保護手段を提供できるものである。
【００４２】
本発明において、前記シート１０は、透明または半透明であるのが好ましい。透明または半透明であることで、ゴム風船５０の根元部５２をシート１の風船挿通用孔３に挿通配置して該ゴム風船５０を膨らます際にゴム風船５０の膨らみ状態をシート１を介して目で観察することができるので、ゴム風船５０を適切な大きさに膨らますことができる。前記シート１０の材料としては、特に限定されるものではないが、例えば、ポリプロピレン樹脂、ポリエチレンテレフタレート（ＰＥＴ）樹脂、塩化ビニル樹脂等の合成樹脂などが挙げられる。中でも、ポリプロピレン樹脂を用いるのが好ましい。
【００４３】
前記シート１０の厚さは、該シートがポリプロピレン樹脂で形成されている場合には、１４０μｍ〜２００μｍに設定されるのが好ましい。１４０μｍ以上であることでシートに剛直性が適度に得られて、人の顔面Ｆとゴム風船５０の膨隆部５３とを隔てた状態（図７参照）のときにシート１の平面状態を十分に保持できる（しっかりと立てた状態に保持できる）と共に、２００μｍ以下であることで、コストを低減できるし、折り畳み可能に構成されている場合にはゴム風船取付用シート１が折り畳み易いものとできる利点がある。
【００４４】
前記風船挿通用孔３の短径は、前記風船取付用孔２の短径よりも大きい構成であるのが好ましい。このような構成を採用した場合には、シートの風船挿通用孔３にゴム風船５０の根元部５２を挿通するときに挿通作業をスムーズに行うことができると共に、シートの風船取付用孔２に取り付けられたゴム風船５０は、風船取付用孔２から離脱し難いものとなり、取り付け固定状態を安定化することができる。なお、上記実施形態では、風船挿通用孔３の形状が円形であるので、長径と短径の区別が存在せず、従って円形の直径長さを「短径」とする。また、上記実施形態では、風船取付用孔２の形状が略長矩形状であり、この場合、略長矩形状の幅が最も短い内径であることから、略長矩形状の幅を「短径」とする。
【００４５】
前記風船取付用孔２は、上記実施形態のように、展開状態の前記シート１０における周縁部に設けられているのが好ましい（図１参照）。このような構成を採用すれば、ゴム風船５０を膨らましている途中でゴム風船が破裂することがあったとしても、人の顔面Ｆを展開状態のシート１によって十分に保護できるものとなる。
【００４６】
前記包装用袋体６０としては、透明または半透明の包装用袋体が用いられるのが好ましい。透明または半透明であることで、ゴム風船包装品７０が、販売店等において展示されているとき等に包装用袋体６０の中のゴム風船５０の形や色等を購買者が見て判断することができる。前記包装用袋体６０の材料としては、特に限定されるものではないが、例えば、ポリプロピレン樹脂等の合成樹脂などが挙げられる。本実施形態では、前記包装用袋体６０として、図６に示すようなヘッダー付樹脂袋が使用されているが、特にこのようなものに限定されるものではない。また、本実施形態では、図６における包装用袋体６０の下方縁部に設けられている開口部が、さらに下方に延ばされている延長蓋体の裏面への折り返し接着により、閉じられた構成になっているが、特にこのような構成に限定されるものではなく、例えば、開口部が上方側のヘッダーと袋本体の境界領域に設けられていて、同じく延長蓋体により閉じられる構成であっても良い。
【００４７】
なお、上記実施形態では、ゴム風船取付用シート１は、４つ折り状態に折り畳み可能に構成されているが、特にこのような４つ折り可能なものに限定されるものではなく、例えば、２つ折り状態に折り畳み可能に構成されていても良いし、３つ折り状態に折り畳み可能に構成されていても良いし、或いは８つ折り状態に折り畳み可能に構成されていても良い。
【００４８】
また、上記実施形態では、風船取付用孔２は、４個設けられているが、特にこのような個数に限定されるものではなく、１個であってもよいし、２個、３個、或いは５個以上であってもよい。また、風船取付用孔２が設けられる位置も特に限定されない。
【００４９】
また、上記実施形態では、ゴム風船５０は、平面視略ハート型形状であるが、特にこのような形状に限定されるものではない。
【産業上の利用可能性】
【００５０】
本発明に係るゴム風船取付用シートは、ゴム風船（ハート型ゴム風船など）を取り付けるためのシート（台座シート）として用いられる。折り畳み可能なシートである場合には、通常、折り畳まれたゴム風船取付用シートの風船取付用孔にゴム風船の根元部が取り付けられた状態のものが包装用袋体で包装されて、ゴム風船包装品が構成される。
【００５１】
そして、ゴム風船を膨らますときには、展開状態にしたゴム風船取付用シートの風船挿通用孔にゴム風船の根元部を挿通せしめて、ゴム風船を膨らます人の顔面と風船の膨隆部とが、展開状態のゴム風船取付用シートで隔てられた状態で風船を膨らますことにより（図７参照）、ゴム風船を膨らましている途中でゴム風船が破裂することがあったとしても、人の顔面を展開状態のシートによって保護できる。このように、本発明のゴム風船取付用シートは、ゴム風船取り付けのための台シートとしての機能のみならず、ゴム風船を膨らますときの顔面保護機能をも備えている。
【符号の説明】
【００５２】
１…ゴム風船取付用シート
２…風船取付用孔
３…風船挿通用孔
４…第１折り目
５…第２折り目
６Ａ…谷折りの折り目
６Ｂ…山折りの折り目
１１…第１区画部
１２…第２区画部
１３…第３区画部
１４…第４区画部
５０…ゴム風船
５１…口部
５２…根元部
５３…膨隆部
６０…包装用袋体
７０…ゴム風船包装品
Ｆ…人の顔面
【図１】
2016052371.tif 000003
【図２】
2016052371.tif 000004
【図３】
2016052371.tif 000005
【図４】
2016052371.tif 000006
【図５】
2016052371.tif 000007
【図６】
2016052371.tif 000008
【図７】
2016052371.tif 000009